(57)【特許請求の範囲】
【請求項１】
平面視で楕円形状の輪郭を備え、
中心部に短軸方向に沿って二つの糸通し孔が形成され、
少なくとも長軸方向の両端部側で、表面が水平面より上方に突出する傾斜面に形成されるとともに表面と裏面の厚みが次第に薄くなるように形成され、
表面と裏面が繋がる端縁が各面と交差する略平坦な帯状の面に形成され、
長軸方向に沿った一方の端部を指で水平になるように摘むことにより、シーソーのように他方の端部が上方に浮び上がるように構成されている衣類用のボタン。
【請求項２】
表面の中心から長軸方向の端部を結ぶ線分と水平面とのなす角度が２°〜１０°の範囲に設定され、裏面の中心から長軸方向の端部を結ぶ線分と水平面とのなす角度が当該角度より大きな値に設定されている請求項１記載の衣類用のボタン。
【請求項３】
裏面のうち前記糸通し孔の周部が、水平面と平行な平面に形成されている請求項１または２記載の衣類用のボタン。
【請求項４】
左右前身頃の合せ目の一方に備えたボタンを他方に備えたボタンホールに掛け通して固定する衣類であって、
請求項１から３の何れかに記載のボタンを取り付ける細長のボタン支持布が、前身頃の布地とボタン支持布との間に指を挿入可能な状態で一方の前身頃の合せ目に沿って縫着され、他方の前身頃の合せ目に前記ボタンの長軸方向と交差する方向に切り込まれたボタンホールが形成されている衣類。
【請求項５】
前記ボタンの長軸方向が横向き姿勢で前記ボタン支持布に縫着されている請求項４記載の衣類。
【請求項６】
前記ボタン支持布に長手方向に沿って前記ボタンが複数縫着され、各ボタンの縫着部位間の中央位置で前記ボタン支持布と前記前身頃の布地とが、袋状に縫着されている請求項４または５記載の衣類。
【発明の詳細な説明】
【技術分野】
【０００１】
本発明は、衣類用のボタン及び衣類に関し、特に指先の円滑な動作が困難な高齢者等にとって取扱いが容易な優しいボタン、及び当該ボタンが用いられる肌着やパジャマ等の衣類に関する。
【背景技術】
【０００２】
掛け外しのための動作が容易に行なえるボタンとして、特許文献１には、平面視円形のボタンの裏面に、底面部と、底面部からボタンの外周縁に向かってボタンの厚さが減少する傾斜面部が設けられ、底面部に対する傾斜面部の傾斜角度が１５°から５０°の範囲であるボタンが提案されている。
【０００３】
特許文献１によれば、人差し指をボタンの表側傾斜面部の一部に当接させて、ボタンの周縁を布地側に押し付けると、押し付けた部分と反対側の周縁が布地に対して持ち上がり、ボタンの周縁と布地との間の隙間が拡大することを利用して、ボタンと布地との隙間に指先を入れ易くして、親指をボタンの裏面側傾斜面部に当接させることにより、ボタンを親指と人差し指とで容易に摘むことができる。
【０００４】
しかし、上述のボタンは、人差し指でボタンの周縁を布地側に押し付け、押し付けた部分と反対側の周縁に親指の指先を挿入してボタンを摘むという複数の動作が必要となり、指先の円滑な動作が困難な高齢者等にとって必ずしも容易な動作ではなかった。また、摘んだボタンの姿勢をボタンホールに向けて調整して掛け通す操作や、掛け通したボタンをボタンホールから外す操作も必要となるが、指先の円滑な動作が困難な人にとって、平面視円形のボタンをそのボタンの直径よりやや大きな長さに切り込まれたボタンホールに挿通、離脱させるのは容易くないという問題もあった。
【０００５】
そこで、特許文献２には、掛け通しが非常に容易なユニバーサルデザインのボタンを提供することを目的として、ボタン形状を略三角形とし、ボタンを留める際に一辺を押すので面積が大きく押し易く、挿入側が尖った形状のためにボタンホールへの挿入がやり易い事により、ボタンの掛け通し作業が非常に容易なボタンが提案されている。
【０００６】
また、特許文献３には、雌雄留具を片手でも容易に係止できる衣類として、左右前身頃の何れか一方の裏面側に、雌雄何れか一方の留具を設けている一方、左右前身頃の何れか他方の表面側に留具支持布を取り付け、該留具支持布の表面側に雌雄何れか他方の留具を設け、かつ、これら留具位置で留具支持布を、指挿入部をあけて左右身頃から遊離させている衣類が提案されている。
【先行技術文献】
【特許文献】
【０００７】
【特許文献１】特開２００４−０２４７７１号公報
【特許文献２】特開２００６−２８８９９３号公報
【特許文献３】特開２００２−１７３８１０号公報
【発明の概要】
【発明が解決しようとする課題】
【０００８】
しかし、特許文献２に記載された従来のボタンは、ボタンホールからボタンを外す際に、ボタンとボタンホールの相対動作位置が逆になり、三角形の一辺がボタンホールの切れ目に沿う姿勢となるため、平面視円形のボタンよりもボタンを外す際の操作が困難になるという問題があった。
【０００９】
また、特許文献３に記載された衣類によれば、留具を係止する操作は容易になるが、係合力が小さい雌雄スナップを用いると、体勢の変化によってスナップが係合状態から離脱状態に容易く変化するため、係合力が強固な雌雄スナップを用いる必要がある。そのような係合力が強い雌雄スナップを用いると、係止された留具を離脱させるために、左右の前身頃の合せ目から一方の身頃を片手で大きく引き離すという大きな力を伴なった操作が必要となるばかりか、布地が傷む虞もあるという問題があった。
【００１０】
また、一方の面に突起が形成され、他方の面に突起が係止されるループ部を備えた面ファスナーを留具として用いると、係止操作時に上下左右何れかに係止面がずれ易く、位置ずれが生じると着心地が悪くなるという問題や、繰り返し使用すると係止面に綿埃や糸屑等が付着して係合力が低下するという問題もあった。
【００１１】
本発明の目的は、上述の問題点に鑑み、指先の円滑な動作が困難な高齢者等にとって取扱いが容易で繰り返し安定して使用可能な衣類用のボタン及び衣類を提供する点にある。
【課題を解決するための手段】
【００１２】
上述の目的を達成するため、本発明による衣類用のボタンの第一の特徴構成は、特許請求の範囲の書類の請求項１に記載した通り、平面視で楕円形状の輪郭を備え、中心部に短軸方向に沿って二つの糸通し孔が形成され、少なくとも長軸方向の両端部側で、表面が水平面より上方に突出する傾斜面に形成されるとともに表面と裏面の厚みが次第に薄くなるように形成され、表面と裏面が繋がる端縁が各面と交差する略平坦な帯状の面に形成され、長軸方向に沿った一方の端部を指で水平になるように摘むことにより、シーソーのように他方の端部が上方に浮び上がるように構成されている点にある。
【００１３】
布地に縫着されたボタンの端部を親指と人差し指で摘む場合、平面視で楕円形状の輪郭を備えたボタンであれば、曲率が小さな短軸方向の端部よりも曲率が大きな長軸方向の端部の方が中心からの距離が長くなり、それだけ広い摘み代が確保できるために、通常の円形状の輪郭を備えたボタンよりも摘み易くなる。そして、長軸方向の両端部側で表面が水平面より上方に突出する傾斜面に形成されるとともに表面と裏面の厚みが次第に薄くなるように形成されているため、長軸方向の両端部が布地から上方に浮び上がり、指先で摘み易い姿勢が確保でき、長軸方向に沿った一方の端部を親指と人差し指で摘むことにより、シーソーのように他方の端部がより大きく上方に浮び上がるようになる。
【００１４】
このようにして浮び上がらせた他方の端部は、大きな曲率で先が尖っているため、ボタンホールに向けて押圧することにより、容易にボタンホールに挿入でき、指を離してもその挿入状態を維持できるようになる。さらに、その状態で他方の端部を指で摘み上げることによりボタンをボタンホールに掛け通すことができるのである。
【００１５】
逆に、ボタンをボタンホールから離脱させる際には、当該他方の端部を指で摘み上げて一方の端部を下方に傾斜させることにより、一方の端部をボタンホールから容易に離脱させることができ、その後に、当該他方の端部をボタンホールに向けて押圧することにより、ボタンホールから容易く離脱させることができるようになる。
【００１６】
従って、ボタンホールに対してボタンを片手で容易に掛け外すことができるようになる。このとき、ボタンの摘み操作を行なう手とは異なる他方の手を用いる必要は無いが、少なくともボタンホールが形成された前身頃を腕先で押さえる等の支持動作ができればさらに容易に掛け外し操作ができるようになる。
【００１７】
尚、ボタンホールの切り込み長さを、通常設定されるボタンの直径とボタンの厚みの加算値にさらに数ｍｍの余裕分を加算した値よりも大きく設定すれば、つまり、この場合ではボタンの短軸の長さとボタンの厚みの加算値にさらに数ｍｍの余裕分を加算した値よりも大きく設定すれば、ボタンホールが大きく開口して、上述の掛け通し操作や離脱操作の際に、ボタンをボタンホールに挿入し、或はボタンをボタンホールから離脱させ易くなる。その場合でもボタンホールにボタンを掛け通した状態では、長軸方向のボタン長さがボタンホールに形成されるスリット幅よりも十分に長いため、自然にボタンがボタンホールから離脱するようなことが無い。
【００１８】
このように、指先の円滑な動作が困難な高齢者等であっても、比較的容易な指先の動作によってボタンを掛け外すことができ、このようなボタンの掛け外し操作を繰り返すことにより指先の動作のリハビリテーション効果が得られるようにもなる。
【００１９】
同第二の特徴構成は、同請求項２に記載した通り、上述の第一特徴構成に加えて、表面の中心から長軸方向の端部を結ぶ線分と水平面とのなす角度が２°〜１０°の範囲に設定され、裏面の中心から長軸方向の端部を結ぶ線分と水平面とのなす角度が当該角度より大きな値に設定されている点にある。
【００２０】
表面の中心から長軸方向の端部を結ぶ線分と水平面とのなす角度が１０°より大きくなると、端部が布地よりも大きく上方に浮び上がり、ボタンの周辺の他の衣類や寝具と当接して引っ掛かる等の不都合が生じたり、ボタン付近に手を接触させたときにボタンに手が引っ掛かり着心地が悪くなるといった違和感が生じる。しかし、当該角度を２〜１０°の範囲に設定すれば、そのような違和感を与えることなく、布地に縫着されたボタンの端部を親指と人差し指で極めて容易に摘むことができるようになる。
【００２１】
そして、裏面の中心から長軸方向の端部を結ぶ線分と水平面とのなす角度が当該角度より大きな値に設定されているので、長軸方向に沿った一方の端部を、親指と人差し指で自然に摘めば、摘み姿勢を変える等を意識しなくても、他方の端部が極めて容易に大きく上方に浮び上がるようになる。
【００２２】
同第三の特徴構成は、同請求項３に記載した通り、上述の第一または第二特徴構成に加えて、裏面のうち、前記糸通し孔の周部が水平面と平行な平面に形成されている点にある。
【００２３】
糸通し孔の周部が水平面と平行な平面に形成されていれば、布地の面に対して糸通し孔の軸心が垂直姿勢となるようにボタンを布地上に載置できるので、縫着用の機械で布地にボタンを自動縫着する場合であっても、ボタンが縫着用の針で破損するような事態を招くことなく常に適切に縫着できるようになる。
【００２４】
本発明による衣類の第一の特徴構成は、同請求項４に記載した通り、左右前身頃の合せ目の一方に備えたボタンを他方に備えたボタンホールに掛け通して固定する衣類であって、上述した第一から第三の何れかの特徴構成を備えたボタンを取り付ける細長のボタン支持布が、前身頃の布地とボタン支持布との間に指を挿入可能な状態で一方の前身頃の合せ目に沿って縫着され、他方の前身頃の合せ目に前記ボタンの長軸方向と交差する方向に切り込まれたボタンホールが形成されている点にある。
【００２５】
上述したようなボタンの端部と布地との間の隙間を利用して親指と人差し指でボタンを摘むような操作が比較的困難な人であっても、前身頃の布地と、ボタンを取り付けたボタン支持布との間に、隙間ができるので、この隙間に例えば親指を挿入して、ボタン支持布を介してボタンの長軸側の端部に親指を宛がい、ボタンの上方から人差し指を宛がうことによって、極めて容易にボタンの端部を摘むことができるようになる。
【００２６】
同第二の特徴構成は、同請求項５に記載した通り、上述の第一特徴構成に加えて、前記ボタンの長軸方向が横向き姿勢で前記ボタン支持布に縫着されている点にある。
【００２７】
上述した構成によれば、指先でボタンを摘む際に、指先が最初にボタンに触れるボタンの長軸側の端部を摘んだ状態で、左右方向にボタンを押圧操作するという極めてシンプルな操作でボタンホールにボタンを掛け通すことができる。
【００２８】
同第三の特徴構成は、同請求項６に記載した通り、上述の第一または第二特徴構成に加えて、前記ボタン支持布に長手方向に沿って前記ボタンが複数縫着され、各ボタンの縫着部位間の中央位置で前記ボタン支持布と前記前身頃の布地とが、袋状に縫着されている点にある。
【００２９】
上述の構成によれば、ボタンをボタンホールに掛け通した状態で、ボタン支持布が身頃の合せ目から浮き上がり、着心地が悪化するような状態が解消される。
【発明の効果】
【００３０】
以上説明した通り、本発明によれば、ボタンホールにボタンを掛け通し、或はボタンホールからタンを離脱させる際の操作が極めて容易に行なえる衣類用のボタン及び衣類を提供することができるようになった。
【図面の簡単な説明】
【００３１】
【図１】（ａ）は本発明による衣類用のボタンの平面図、（ｂ）は同正面図、（ｃ）は同側面図
【図２】本発明による衣類用のボタンの掛け通し操作の説明図で、（ａ）はボタンを摘む前の説明図、（ｂ）はボタンの端部を摘んだ状態の説明図、（ｃ）はボタンホールにボタンを挿入操作する状態の説明図
【図３】本発明のボタンを用いたパジャマの説明図で、（ａ）は布地へのボタンの取付姿勢とボタンホールの姿勢の説明図、（ｂ）はボタンの布地への縫着構造の説明図
【図４】（ａ）はボタンの掛け通し操作の説明図、（ｂ）は要部の説明図
【図５】（ａ）はボタンの掛け通し操作の説明図、（ｂ）は布地へのボタンの取付姿勢とボタンホールの姿勢の別実施形態の説明図
【発明を実施するための形態】
【００３２】
以下、本発明による衣類用のボタン及び衣類を説明する。
図１（ａ）から（ｃ）に示すように、本発明による衣類用のボタン１は、主に肌着やパジャマ等に用いられ、平面視で長軸ａ，短軸ｂの楕円形状を呈した輪郭１０を備え、中心部に二つの糸通し孔２が形成され、裏面１２のうち糸通し孔２の周部を含む円形領域が水平面Ｈと平行な平面１３に形成されている。また、表面１１の一対の糸通し孔２間には溝状の窪み３が形成されている。
【００３３】
当該ボタン１は、少なくとも長軸ａ方向の両端部１１ａ，１１ｂ側で、糸通し孔２近傍の表面を延長した水平面Ｈより上方に突出する傾斜面に形成されるとともに表面１１と裏面１２の厚みｄが次第に薄くなるように形成されている。
【００３４】
ボタン１の裏面１２は、上述した平面１３から長軸ａ方向の両端部１１ａ，１１ｂ側にかけて平面状または曲面状の傾斜面に形成され、これによって表面１１と裏面１２の厚みｄが次第に薄くなる。
【００３５】
このような形状を備えているため、図２（ａ）に示すように、長軸ａ方向の両端部１１ａ，１１ｂがボタン１を縫着した布地４から上方に浮び上がり、それにより布地４との間に形成される空間Ｓに指を挿入することによって、当該両端部１１ａ，１１ｂの何れかを摘み易い姿勢が確保できる。
【００３６】
図２（ｂ）に示すように、長軸ａ方向に沿った一方の端部１１ａを親指と人差し指で水平になるように摘むことにより、シーソーのように他方の端部１１ｂがより大きく上方に浮び上がるようになる。
【００３７】
図２（ｃ）に示すように、このようにして浮び上がらせた他方の端部１１ｂは大きな曲率で先が尖っているため、ボタン１の端部１１ａを摘んだ状態でボタンホール８に向けてボタン１を押圧することにより、容易にボタンホール８に挿入でき、指を離してもその挿入状態を維持できるようになる。その状態で他方の端部１１ｂを指で摘み上げることによりボタン１をボタンホール８に掛け通すことができるようになる。
【００３８】
ボタン１をボタンホール８から離脱させる際には、当該他方の端部１１ｂを指で摘み上げて一方の端部１１ａを下方に傾斜させることにより、一方の端部１１ａをボタンホール８から容易に離脱させることができ、その後に、当該他方の端部１１ｂをボタンホール８に向けて押圧することにより、ボタンホール８から容易く離脱させることができるようになる。
【００３９】
上述のボタン１であれば、指先の円滑な動作が困難な高齢者等であっても、比較的容易な指先の動作によってボタン１を掛け外すことができ、このようなボタン１の掛け外し操作を繰り返すことにより指先の動作のリハビリテーション効果が得られるようにもなる。
【００４０】
尚、ボタンホールの切り込み長さを、通常設定されるボタンの直径とボタンの厚みの加算値にさらに数ｍｍの余裕分を加算した値よりも大きく設定すれば、つまり、この場合ではボタン１の短軸ｂの長さとボタンの厚みの加算値にさらに数ｍｍの余裕分を加算した値よりも大きく設定すれば、ボタンホールが大きく開口して、上述の掛け通し操作や離脱操作の際に、ボタン１をボタンホール８に挿入し、或はボタン１をボタンホール８から離脱させ易くなる。その場合でもボタンホール８にボタン１を掛け通した状態では、長軸ａ方向のボタン長さがボタンホール８に形成される１〜２ｍｍ程度のスリット幅よりも十分に長いため、ボタン１がボタンホール８から自然に離脱するようなことが無い。
【００４１】
図１（ａ），（ｂ）に示すように、当該ボタン１の表面１１の中心から長軸ａ方向の端部を結ぶ線分Ｌ１と、糸通し孔２近傍の表面を延長した水平面Ｈとのなす角度θが２°〜１０°の範囲に設定されるとともに、裏面の中心から長軸方向の端部を結ぶ線分と水平面とのなす角度が当該角度より大きな値に設定され、布地４に縫着されたボタン１の端部１１ａを親指と人差し指で極めて容易に摘むことができるように構成されている。
【００４２】
この角度θは３°〜５°の範囲がより好ましい。ボタン１の周辺の他の衣類や寝具と当接して引っ掛かる等の不都合が生じたり、ボタン１付近に手を接触させたときにボタンに手が引っ掛かり着心地が悪くなるといった違和感が解消されるからである。
【００４３】
当該傾斜面は、平面状に形成されていても曲面状に形成されていてもよい。傾斜面が少なくとも長軸ａ方向の両端部１１ａ，１１ｂ側に設けられていればよく、ボタン１の中心部から長軸ａに沿う両端部にかけて全面が傾斜面に形成されてもよい。
【００４４】
短軸ｂ方向の両端部も同様に水平面Ｈより上方に突出する傾斜面に形成され、表面１１の中心部が周部よりも凹んだ凹面に形成されてもよい。
【００４５】
裏面の中心から長軸方向の端部を結ぶ線分と水平面とのなす角度φが当該角度θより大きな値に設定されているので、長軸ａ方向に沿った一方の端部１１ａを、親指と人差し指で自然に摘めば、摘み姿勢を変える等、何ら意識しなくても、他方の端部が極めて容易に大きく上方に浮び上がるようになる。当該角度φは５°〜１５°の範囲に設定されていることが好ましい。
【００４６】
ボタン１の表面１１及び裏面１２のうち中心から短軸ｂ方向に沿う領域は、その両端部に沿って水平面Ｈと平行な平面形状に形成されてもよいし、水平面Ｈよりも下方に突出する傾斜面に形成されていてもよい。後者の場合、ボタンホールにボタン１が掛け通した状態で下方に突出する傾斜面がボタンホールのエッジに当接して、抜け止め効果が得られる。
【００４７】
ボタン１に形成される二つの糸通し孔２は、中心部に短軸ｂ方向に沿って形成されることが好ましい。長軸ａ方向に沿った一方の端部１１ａを親指と人差し指で水平になるように摘んだときに、布地に縫着された部位を支点にして、容易に他方の端部１１ｂがより大きく上方に浮び上がるようになるからである。
【００４８】
しかし、糸通し孔２の配列はそのような配列に限るものではなく、中心部に長軸ａ方向に沿って形成されていてもよい。また、長軸ａ方向または短軸ｂ方向に沿って二列形成された四つの糸通し孔を備えていてもよい。
【００４９】
ボタン１のサイズは使用される衣類によって適宜設定される値で特に制限されるのもではないが、長軸ａと短軸ｂの比率ｂ／ａは、１／１．１〜１／１．８の範囲であることが好ましく、１／１．２から１／１．５の範囲であることがより好ましい。通常、径が１５ｍｍ〜２０ｍｍ程度の丸ボタンが主に使用されるパジャマを例にとると、本発明によるボタンであれば、短軸ｂ方向の長さが１５ｍｍから２０ｍｍ、長軸ａ方向の長さが２０ｍｍから３０ｍｍ程度が好ましい。
【００５０】
ボタン１の厚みは、ボタン１のサイズにより多少異なるが、強度を確保する観点から、概ね最大厚みが２ｍｍから５ｍｍの範囲が好ましく、長軸ａ方向に沿った端部１１ａ，１１ｂで１ｍｍから２ｍｍ程度が好ましい。
【００５１】
ボタン１の材質、製法に関しては公知の技術を用いることができる、例えば、熱硬化性樹脂である不飽和ポリエステル樹脂やポリウレタン樹脂を用い、シリコンゴム製の型を用いたキャスティングによってボタン１を製造することができる。また、断面が楕円形の所定サイズの管の中に着色した液状の不飽和ポリエステル樹脂を流し込み、硬化させた後にカットする棒管法を用いて製造した平坦なボタンブランクを本発明の形状に切削加工してもよい。
【００５２】
また、熱可塑性樹脂であるナイロン樹脂を用い、硬質ゴム型や金型を用いて射出成型することによりボタン１を製造することも可能である。ボタン１の原料として他にアクリル、ＡＢＳ樹脂等を用いることも可能である。
【００５３】
図３（ａ），（ｂ）には、布地４の前身頃の合せ目７に上述したボタン１が縫着された衣類の例としてパジャマが示されている。合せ目７のうち右前身頃６に備えたボタン１を左前身頃５に備えたボタンホール８に掛け通して固定する男性用の左前のパジャマであるが、右前の女性用のパジャマであっても左右の違いを除き同様である。
【００５４】
細長のボタン支持布９が、右前身頃６の布地４とボタン支持布９との間に指を挿入可能な状態となるように、右前身頃６の合せ目に沿って端部Ｐ１側で縫着されている。当該ボタン支持布９には、上述した本発明による複数個のボタン１が、その長軸方向が横向き姿勢となるように縫着され、左前身頃５の合せ目７には、ボタン１の長軸方向と交差する方向に切り込まれた複数のボタンホール８が形成されている。
【００５５】
各ボタン１の縫着部位間の中央位置Ｐ２で、ボタン支持布９と右前身頃６の布地４とが横方向に縫着され、ボタン１毎にボタン支持布９が袋状に縫着されている。図３（ｂ）の破線は、縫着位置を示すものである。
【００５６】
尚、ボタン支持布９は、前身頃６の布地４と同じデザインの同じ布地を用いればよく、また、別途のボタン支持布９を準備しなくとも、前身頃６の合せ目７側の端部を折り返して、その折り返し部をボタン支持布９として機能させてもよい。
【００５７】
図２（ａ）で説明したボタン１の端部と前身頃６の布地４との間の隙間Ｓを利用して親指と人差し指でボタン１を摘むような操作が比較的困難な人であっても、図４（ａ），（ｂ）に示すように、前身頃６の布地４と、ボタン１を取り付けたボタン支持布９との間に、袋状の空間Ｐができるので、この空間Ｐに例えば親指を挿入して、ボタン支持布９を介してボタン１の長軸側の端部１１ａに親指を宛がい、ボタン１の上方から人差し指を宛がうことによって、極めて容易にボタンの端部を摘むことができるようになる。図５（ａ）には、このようにしてボタン１の長軸側の端部１１ａを親指と人差し指で摘む動作が示されている。
【００５８】
また、図５（ｂ）には、別の態様が示されている。ボタン支持布９に、上述した本発明による複数個のボタン１が、その長軸方向が縦向き姿勢となるように縫着され、左前身頃５の合せ目７には、ボタン１の長軸方向と交差する方向に切り込まれた複数のボタンホール８が形成されている。このような構成であっても、本発明の作用効果が奏される。
【産業上の利用可能性】
【００５９】
本発明によるボタンは、男女を問わず、ボタンの容易な掛け外し操作が必要されるような使用者、例えば指先の円滑な動作が困難な高齢者、幼児、障害者等に好適で、肌着やパジャマばかりでなく、上着等の衣服に広く用いることができる。
【符号の説明】
【００６０】
１：ボタン
２：糸通し孔
３：糸通し孔間の溝状の窪み
４：布地
５：左前身頃
６：右前身頃
７：合せ目
８：ボタンホール
９：ボタン支持布
１０：輪郭
１１：表面
１１ａ，１１ｂ：長軸方向の端部
１２：裏面
１３：平面
ａ：長軸
ｂ：短軸
ｄ：厚み
Ｓ，Ｐ：空間
【図１】
0005959143.tif 000002
【図２】
0005959143.tif 000003
【図３】
0005959143.tif 000004
【図４】
0005959143.tif 000005
【図５】
0005959143.tif 000006